(57)【要約】【課題】乳幼児の成長に合わせて使用態様を変化させることにより、長期間の使用を可能にした乳幼児用品を提供する。【解決手段】矩形状の複数のマット２０…２０を一方向に並べたベッドガードと、複数のマット２０…２０を当該一方向と直交する方向につないだプレイマット２と、複数のマット２０…２０それぞれを当該一方向と直交する方向を折り目として二つ折りに畳み、折り畳まれた複数のマットを折り目部２３と反対側の端部を相互に重ね合わせて綴じ合わせた布絵本３とすることで、ベッドガード１、プレイマット２、及び布絵本３の相互間で、使用態様の変更を可能にした乳幼児用品を実現する。【選択図】　　　図１
2004049546.tif 000002
【特許請求の範囲】
【請求項１】
矩形状の複数のマットを含む乳幼児用品であって、
前記複数のマットをベビーベッドの柵に沿って一方向に並べたベッドガードと、前記複数のマットを前記一方向と直交する方向につないだプレイマットと、前記複数のマットのそれぞれを前記一方向と直交する方向の折り目部を境として二つに折り畳み、折り畳まれた複数のマットの前記折り目部と反対側の端部を相互に重ねて綴じ合わせた本との間で、使用態様を変更可能としたことを特徴とする乳幼児用品。
【請求項２】
矩形状の複数のマットを含む乳幼児用品であって、
前記複数のマットをベビーベッドの柵に沿って一方向に並べたベッドガードと、前記複数のマットを前記一方向と直交する方向につないだプレイマットとの間で、使用態様を変更可能としたことを特徴とする乳幼児用品。
【請求項３】
矩形状の複数のマットを含む乳幼児用品であって、
前記複数のマットをベビーベッドの柵に沿って一方向に並べたベッドガードと、前記複数のマットを前記一方向と直交する方向の折り目部を境として二つに折り畳み、折り畳まれた複数のマットの前記折り目部と反対側の端部を相互に重ねて綴じ合わせた本との間で、使用態様を変更可能としたことを特徴とする乳幼児用品。
【請求項４】
前記複数のマットのそれぞれをベビーベッドに取り付けるための取付具を具備し、前記マットのそれぞれの前記一方向に沿った二辺のうち、いずれか一方の辺には前記取付具が装着される取付具装着部が設けられ、他方の辺には、他のマットに設けられた前記取付具装着部と連結可能な連結具が設けられていることを特徴とする請求項１又は２に記載の乳幼児用品。
【請求項５】
前記取付具として、リング状に結合可能なテープが設けられ、前記取付具装着部として前記テープが通過可能な穴部が設けられていることを特徴とする請求項４に記載の乳幼児用品。
【請求項６】
前記連結具は、前記取付具装着部としての穴部を通過可能かつリング状に結合可能なテープ状に形成されていることを特徴とする請求項５に記載の乳幼児用品。
【請求項７】
前記連結具の長さは前記取付具としての前記テープよりも短いことを特徴とする請求項６に記載の乳幼児用品。
【請求項８】
前記連結具が前記マットに固定されていることを特徴とする請求項７に記載の乳幼児用品。
【請求項９】
前記複数のマットのそれぞれをベビーベッドに取り付けるための取付具を具備し、前記マットのそれぞれの前記一方向に沿った二辺のうち、いずれか一方の辺には前記取付具が装着される取付具装着部が設けられ、前記マットのそれぞれの前記一方向と直交する方向の二辺には前記取付具によって各マットを綴じ合わせるための綴じ合せ部が設けられていることを特徴とする請求項１又は３に記載の乳幼児用品。
【請求項１０】
前記取付具として、リング状に結合可能なテープが設けられ、前記取付具装着部及び前記綴じ合せ部として、前記テープが通過可能な穴部がそれぞれ設けられていることを特徴とする請求項９に記載の乳幼児用品。
【請求項１１】
矩形状の複数のマットを含む乳幼児用品であって、
前記複数のマットを一方向につないだプレイマットと、前記複数のマットを前記一方向と平行な方向の折り目部を境として二つに折り畳み、折り畳まれた複数のマットの前記折り目部と反対側の端部を相互に重ねて綴じ合わせた本との間で、使用態様を変更可能としたことを特徴とする乳幼児用品。
【請求項１２】
前記複数のマットのそれぞれの少なくとも一方の面には絵柄が付されていることを特徴とする請求項１〜１１のいずれか１項に記載の乳幼児用品。
【発明の詳細な説明】
【０００１】
【発明の属する技術分野】
本発明は、乳幼児向け生活用品の分野に関する。
【０００２】
【従来の技術】
従来より、乳幼児の成長段階に応じて種々の乳幼児用品が提案され、販売されている。しかし、従来の商品は単一の使用目的に合わせて構成されている。例えば、ベッドガード、プレイマット等は素材が共通しているにも拘わらず、使用の目的に応じた形状やサイズで販売されている。そのため、ユーザは各商品を別々に購入する必要があり、使用期間が過ぎれば製品を処分するしかない。
【０００３】
【発明が解決しようとする課題】
しかし、乳幼児の成長は早く、各製品の使用期間は一般の成人向け商品と比べて極めて短い。従って、ユーザは、乳幼児の成長に合わせて絶えず買い替えや買い足しを行う必要があり、その経済的負担は大きい。また、不要となった乳幼児用品を次々と処分することは無駄が多く、環境に対する負担も大きい。
【０００４】
そこで、本発明は、使用態様を変化させることによって、長期間の使用を可能にした乳幼児用品を提供することを目的とする。
【０００５】
【課題を解決するための手段】
以下、本発明の乳幼児用品について説明する。なお、本発明の理解を容易にするために添付図面の参照符号を括弧書きにて付記するが、それにより本発明が図示の形態に限定されるものではない。
【０００６】
本発明は、矩形状の複数のマット（２０…２０）を含む乳幼児用品であって、前記複数のマットをベビーベッド（１０）の柵（１１）に沿って一方向に並べたベッドガード（１）と、前記複数のマットを前記一方向と直交する方向につないだプレイマット（２）と、前記複数のマットのそれぞれを前記一方向と直交する方向の折り目部（２３）を境として二つに折り畳み、折り畳まれた複数のマットの前記折り目部と反対側の端部を相互に重ねて綴じ合わせた本（３）との間で、使用態様を変更可能とした乳幼児用品によって、上述した課題を解決する。
【０００７】
これによって、本発明による乳幼児用品を１つ購入すれば、ベッドガードとしても、プレイマットとしても、本としても使用することができ、これら３種の乳幼児用品を別々に購入する必要がなくなる。
【０００８】
本発明は、矩形状の複数のマット（２０…２０）を含む乳幼児用品であって、前記複数のマットをベビーベッド（１０）の柵（１１）に沿って一方向に並べたベッドガード（１）と、前記複数のマットを前記一方向と直交する方向につないだプレイマット（２）との間で、使用態様を変更可能とした乳幼児用品によって、上述した課題を解決する。
【０００９】
これによって、本発明による乳幼児用品を１つ購入すれば、ベッドガードとしても、プレイマットとしても使用することができ、これら２種の乳幼児用品を別々に購入する必要がなくなる。
【００１０】
本発明は、矩形状の複数のマットを含む乳幼児用品（２０…２０）であって、前記複数のマットをベビーベッド（１０）の柵（１１）に沿って一方向に並べたベッドガード（１）と、前記複数のマットを前記一方向と直交する方向の折り目部を境として二つに折り畳み、折り畳まれた複数のマットの前記折り目部（２３）と反対側の端部を相互に重ねて綴じ合わせた本（３）との間で、使用態様を変更可能とした乳幼児用品によって、上述した課題を解決する。
【００１１】
これによって、本発明による乳幼児用品を１つ購入すれば、ベッドガードとしても、本としても使用することができ、これら２種の乳幼児用品を別々に購入する必要がなくなる。
【００１２】
また、本発明による乳幼児用品は、前記複数のマットのそれぞれをベビーベッドに取り付けるための取付具（３０…３０）を具備し、前記マットのそれぞれの前記一方向に沿った二辺（２２，２２）のうち、いずれか一方の辺には前記取付具が装着される取付具装着部（２２ａ…２２ａ）が設けられ、他方の辺には、他のマットに設けられた前記取付具装着部と連結可能な連結具（３５…３５）が設けられていてもよい。これによって、各マットをベビーベッドに取り付けるための取付具装着部を利用して、複数のマットを上下方向に連結することが可能となる。
【００１３】
本発明による乳幼児用品は、前記取付具として、リング状に結合可能なテープ（３０…３０）が設けられ、前記取付具装着部として前記テープが通過可能な穴部（２２ａ…２２ａ）が設けられていてもよい。このテープを、マットに設けられた取付具装着部としての穴部に通すことによって、ベッドガードとしての各マットをベビーベッドの枠から吊り下げることができ、ベビーベッドへの取り付け及び取り外しを容易に行うことができる。
【００１４】
本発明による乳幼児用品は、前記連結具が、前記取付具装着部としての穴部を通過可能かつリング状に結合可能なテープ状に形成されていてもよい。これによって、マットをベビーベッドの柵に取り付けるための穴部を利用してマットを相互に連結してプレイマットを構成することができる。
【００１５】
前記連結具の長さは前記取付具としての前記テープよりも短くてもよい。これによって、マット相互を連結する場合に隙間無く連結することが可能となる。
【００１６】
また、前記連結具は短いので邪魔にならないため、前記マットに固定されていてもよい。これによって、短いテープが複数必要であっても紛失する恐れがなくなる。
【００１７】
本発明による乳幼児用品は、前記複数のマットのそれぞれをベビーベッドに取り付けるための取付具（３０…３０）を具備し、前記マットのそれぞれの前記一方向に沿った二辺（２２、２２）のうち、いずれか一方の辺には前記取付具が装着される取付具装着部（２２ａ…２２ａ）が設けられ、前記マットのそれぞれの前記一方向と直交する方向の二辺（２１、２１）には前記取付具によって各マットを綴じ合わせるための綴じ合せ部（２１ａ…２１ａ）が設けられていてもよい。
【００１８】
これによって、本発明による乳幼児用品は、ベッドガードを形成するために必要なマットと取付具をそのまま利用して、本を形成することができる。
【００１９】
前記取付具として、リング状に結合可能なテープ（３０…３０）が設けられ、前記取付具装着部及び前記綴じ合せ部として、前記テープが通過可能な穴部（２１ａ…２１ａ、２２ａ…２２ａ）がそれぞれ設けられていてもよい。各マットのベビーベッドの柵への取り付け及び複数のマットの本としての綴じ合わせも、マットに設けられた穴部に通したテープを相互に結合する方法によって容易に可能となる。
【００２０】
本発明は、矩形状の複数のマットを含む乳幼児用品（２０…２０）であって、前記複数のマットを一方向につないだプレイマット（２）と、前記複数のマットを前記一方向と平行な方向の折り目部（２３）を境として二つに折り畳み、折り畳まれた複数のマットの前記折り目部と反対側の端部を相互に重ねて綴じ合わせた本（３）との間で、使用態様を変更可能とした乳幼児用品によって、上述した課題を解決する。これによって、本発明による乳幼児用品を１つ購入すれば、プレイマットとしても、本としても使用することができ、これら２種の乳幼児用品を別々に購入する必要がなくなる。
【００２１】
前記複数のマットのそれぞれの少なくとも一方の面には絵柄が付されていてもよい。これによって、乳幼児の知的好奇心の向上を図ることが可能となる。
【００２２】
本発明において、ベッドガードとは、ベビーベッドの柵から乳幼児を保護するために当該柵の内周に備え付けられるものをいう。また、プレイマットとは、乳幼児を堅い床などから保護するために敷物として使用するマットをいう。
【００２３】
【発明の実施の形態】
図１（ａ）〜（ｃ）は、本発明による乳幼児用品の使用態様の変化を示す図である。図１（ａ）はベビーベッド１０の柵の内周に取り付けられるベッドガード１としての使用態様、図１（ｂ）はプレイマット２としての使用態様、図１（ｃ）は布絵本３としての使用態様をそれぞれ示している。この乳幼児用品は、３枚のマット２０…２０と、各マット２０についてそれぞれ２本ずつ使用される接続テープ３０…３０とを備えている。マット２０…２０それぞれの形状及び大きさは互いに等しく、接続テープ３０…３０それぞれの形状及び大きさも互いに等しい。
【００２４】
図２に示すように、マット２０は矩形に形成されている。マット２０の左右の辺２１、２１の長さはベビーベッド１０の柵の上下方向の寸法に合わせて設定されている。マット２０の上下の辺２２、２２の長さは、ベビーベッド１０の柵の長手方向のほぼ半分の寸法に形成されている。つまり、ベビーベッド１０の柵の長辺方向には２枚のマット２０、２０が取り付け可能とされ、ベビーベッド１０の柵の短辺方向には１枚のマット２０が取り付け可能とされる。以下、マット２０の左右の辺２１、２１の方向を縦方向、上下の辺２２、２２の方向を横方向という。
【００２５】
図３にも示すように、マット２０の上辺２２には、取付具装着部として４つの穴部２２ａ…２２ａが形成されている。また、左右の辺２１、２１には、綴じ合わせ部としてそれぞれ２つの穴部２１ａ…２１ａが形成されている。穴部２２ａ…２２ａは上辺２２と平行なボタン穴状に、穴部２１ａ…２１ａは左右の辺２１、２１と平行なボタン穴状に形成されている。なお、穴部２１ａ…２１ａ及び穴部２２ａ…２２ａの形状は、使用されていない場合に目立たない形状であれば、ボタン穴状でなくともよい。
【００２６】
マット２０の横方向中央には、マット２０を二つ折りするための折り目部２３が設けられている。折り目部２３は、マット２０を二つ折りしやすいように、例えば直線状にステッチが施されている。
【００２７】
本実施形態のマット２０は、素材を布とし、また、乳幼児の好奇心を育てるために、マット２０には、例えば乳幼児時が興味を引くような模様を施したり、鳴り物おもちゃを施す等様々な工夫がされている。但し、素材は柔らかいものであればよく、模様等も乳幼児向けであれば本実施形態に限らない。
【００２８】
取付具としての接続テープ３０…３０は、図２に示すように、帯状の平坦な構造を有しており、その幅は穴部２１ａ…２１ａ、穴部２２ａ…２２ａを通過可能な程度に設定される。接続テープ３０…３０の長さは、マット２０の上辺２２の穴部２２ａに通した状態で、ベビーベッド１０の柵の上端に位置する横木（以下「枠」という）１１に巻き付けてマット２０を枠１１に吊り下げ固定できる程度に設定される。
【００２９】
接続テープ３０の両端には面ファスナー３１ａ、３１ｂが設けられている。面ファスナー３１ａ、３１ｂを結合することによって、接続テープ３０は接続リング３３を形成する。面ファスナー３１ａ、３１ｂは、接続リング３３の直径の長さが調節できるように、複数箇所に設けられるか、又はそれぞれの端３２ａ、３２ｂから接続テープ３０の長辺方向に長めに設けてもよい。接続テープ３０…３０の素材は幼児が引っ張っても切れない程度の強度を有するものであればよく、乳幼児向けの色彩や模様が施されていることが望ましい。
【００３０】
また、図３に示すように、マット２０の裏側の下辺２２には、連結具として４本の接続テープ３５…３５が設けられている。これらの接続テープ３５…３５はマット２０に縫い付けられている。但し、接続テープ３５はマット２０から取り外し可能に設けられてもよい。４本の接続テープ３５…３５は、上辺２２に設けられている４つの穴部２２ａ…２２ａと横方向に関して同じ位置にそれぞれ設けられる。接続テープ３５の形状は接続テープ３０と同様であるが、長さは接続テープ３０よりも短く、接続テープ３５が他のマット２０の穴部２２ａに通されて２枚のマット２０、２０が隙間無く連結可能となる程度に設定される。また、接続テープ３０における面ファスナー３１ａ、３１ｂと同様に、接続テープ３５においても面ファスナー３６ａ、３６ｂが接続テープ３５の両端３７ａ、３７ｂにそれぞれ設けられている。なお、接続テープ３５は、使用されない場合は同一接続テープ３５上の面ファスナー３６ａ、３６ｂを結合し、テープ部分が、正面から見えないようにしておくことが望ましい。
【００３１】
次に、本実施形態のマット２０、及び接続テープ３０又は接続テープ３５を利用してベッドガード１、プレイマット２及び布絵本３を形成する手順を説明する。
【００３２】
まず、ベッドガード１として使用する場合は、３枚のマット２０…２０を、各マット２０が横方向につながるようにベビーベッド１０の柵の内周に並べる。上述したように１枚はベビーベッド１０の柵の短辺方向に、他の２枚はベビーベッド１０の長辺方向に設けられる。図２に示すように、マット２０それぞれにおける穴部２２ａ…２２ａのうち両端に位置する２つの穴部２２ａ、２２ａそれぞれに接続テープ３０、３０をそれぞれ通す。各穴部２２ａに通した各接続テープ３０をベビーベッド１０の枠１１に巻きつけ、各面ファスナー３２ａ、３２ｂを結合する。以上の方法によって、マット２０…２０それぞれは、ベビーベッド１０の枠１１から２本の接続テープ３０によって、吊り下げられた状態で位置が固定され、図１（ａ）に示すベッドガード１を形成する。
【００３３】
次に、プレイマット２として使用する場合は、１のマット２０の下辺２２と他のマット２０の上辺２２とを左右の端を合わせて重ねる。図３に示すように、１のマット２０に装着されている接続テープ３５の端３７ａを、他のマット２０の穴部２２ａであって、各接続テープ３５に対応する位置に設けられている各穴部２２ａに通し、面ファスナー３６ａ、３６ｂを結合する。この連結方法によって、４つの接続テープ３５…３５すべてを、他のマット２０の穴部２２ａ…２２ａと連結する。続けて、同様に、他のマット２０における接続テープ３５…３５とまだ連結されていないマット２０における穴部２２ａ…２２ａとを連結する。以上の方法によって、３枚のマット２０…２０は、縦方向に連結され、図１（ｂ）に示すプレイマット２を形成する。
【００３４】
また、布絵本３として使用する場合は、マット２０それぞれを折り目部２３によって縦方向に二つ折りにし、それぞれの折り目部２３と反対側の端部を相互に重ね合わせる。図４に示すように、マット２０…２０それぞれの上側に位置するすべての穴部２１ａ…２１ａに、穴部２１ａ…２１ａが重なっている順で接続テープ３０を通し、面ファスナー３１ａ、３１ｂを結合する。また、マット２０…２０それぞれの下側に位置するすべての穴部２１ａ…２１ａについても同様に接続テープ３０を通し、面ファスナー３１ａ、３１ｂを結合する。これによって、図１（ｃ）に示す、二つ折りにされたマット２０…２０を頁に見立て、綴じ合わされた布絵本３が形成される。
【００３５】
本発明は上述した実施形態に限定されず、種々の形態にて実施してよい。例えば、使用するマット２０…２０の数、各マット２０に設けられる穴部２１ａ…２１ａ、穴部２２ａ…２２ａの数や位置、又は接続テープ３０…３０、接続テープ３５…３５の数は、上記の形成方法に基づいて、３種の各乳幼児用品として機能する限り適宜変更可能である。また、取付具としての接続テープは、テープ状に限らず、厚みのある紐状のものや細い糸状のものでもよく、または、マットをはさみ込んで取り付けるような樹脂製等のクリップ状のものでもよい。
【００３６】
【発明の効果】
以上に説明したように、本発明による乳幼児用品は、使用態様を変化させることにより、ベッドガード、プレイマット、及び布絵本を形成する。これによって、１の乳幼児用品としての使用期間の長期化を可能にし、かつ、複数の乳幼児用品を別々に購入する必要もなくなり、経済的負担が軽減される。また、不要となった乳幼児用品を次々に処分する無駄もなくなり、環境への負担も軽減できる。
【図面の簡単な説明】
【図１】（ａ）〜（ｃ）は、本発明による乳幼児用品の使用態様の変化を示し、（ａ）はベッドガードとしての使用態様、（ｂ）はプレイマットとしての使用態様、（ｃ）は布絵本としての使用態様をそれぞれ示す。
【図２】１枚のマットが２本の接続テープによって、ベビーベッドの枠に取り付けられる様子を示す。
【図３】プレイマットを形成するために２枚のマットを連結する様子を、マットの裏側から示す。
【図４】マットが２本の接続テープによって綴じ合わされ、布絵本を形成する様子を示す。
【符号の説明】
１　ベッドガード
２　プレイマット
３　布絵本
１０　ベビーベッド
２０　マット
２１　縦辺
２１ａ　綴じ合わせ部としての穴部
２２　横辺
２２ａ　取付具装着部としての穴部
３０　接続テープ
３５　接続テープ
【図１】
2004049546.tif 000003
【図２】
2004049546.tif 000004
【図３】
2004049546.tif 000005
【図４】
2004049546.tif 000006